(57)【特許請求の範囲】
【請求項１】
第１および第２フレキシブル・ストランド（１、２）のうち第１（１）に取り付けられ、第２ストランド（２）によって貫通されるようなバックル（６）を含む、２つのストランドを固定する留め具（４）であって、バックル（６）が、第２ストランド（２）にひっかかるような捕捉手段（１４）を含み、およびバックル（６）が手動で始動可能な解放装置（２２）であって、第２ストランド（２）を押し上げてそのストランドを捕捉手段（１４）から解放し、バックル（６）からすべって外れるようにする解放装置（２２）を含むことを特徴とする留め具（４）。
【請求項２】
捕捉手段（１４）が歯（１６）を含み、および解放装置（１４）が、第２ストランド（２）を押し上げることができるような、バックル（６）に動けるように取り付けられたレバー（２４）を含むことを特徴とする請求項１に記載の留め具。
【請求項３】
歯（１６）およびこれを支持するリブ（１８）が、バックル（６）とともに単一片になるよう製造されることを特徴とする請求項２に記載の留め具。
【請求項４】
歯（１６）およびこれを支持するリブ（１８）が、バックル（６）とは別々に製造され、固定されることを特徴とする請求項２に記載の留め具。
【請求項５】
解放レバー（２４）がバックル（６）に対してピボット回転するように揺動するようにされていることを特徴とする請求項２から４のいずれかに記載の留め具。
【請求項６】
解放レバー（２４）が第２ストランド（２）を押し上げるのに押力によって制御されることを特徴とする請求項２から５のいずれかに記載の留め具。
【請求項７】
解放レバー（２４）が第２ストランド（２）を押し上げるのに牽引力によって制御されることを特徴とする請求項２から５のいずれかに記載の留め具。
【請求項８】
歯（１６）を収容可能であるような少なくとも１つの横断溝（２０）が、第２ストランド（２）の見えない下面に配置されることを特徴とする請求項２から７のいずれかに記載の留め具。
【請求項９】
歯（１６）を収容可能であるような少なくとも１つの孔が、第２ストランド（２）に貫通されることを特徴とする請求項２から７のいずれかに記載の留め具。
【請求項１０】
第２ストランド（２）が、その第２ストランド（２）の全長の一部にわたる列に沿って配置される複数の溝（２０）または孔を有し、これにより手首の輪郭に取り付けられる第１および第２ストランド（１、２）の長さを適合させるように歯（１６）が所望の溝（２０）または孔の１つに差し込まれることを特徴とする請求項８または９のいずれかに記載の留め具。
【請求項１１】
解放レバー（２４）が、上側を第２ストランド（２）の自由端（１９）が通るような起立バー（２６）であって、２つの長手方向アーム（３０）によって駆動プレート（２８）に連結される起立バー（２６）を含み、小さなバー（３２）を用いてバックル（６）に対してピボット回転するように揺動することを特徴とする請求項２から１０のいずれかに記載の留め具。
【請求項１２】
第１ストランド（１）が、解放レバー（２４）をバックル（６）に対してピボット回転するように揺動する小さなバー（３２）のまわりに一定の長さ巻きつけられることを特徴とする請求項１１に記載の留め具。
【請求項１３】
バックル（６）が、第１および第２ストランド（１、２）の両側に延びる２つの平行プレート（８）を有し、この２つの平行プレート（８）は、ストランド（１、２）を横切る２つの横材（１０）と、前記２つの平行プレート（８）の端部で連結されることを特徴とする請求項１から１２のいずれかに記載の留め具。
【請求項１４】
バックル（６）の２つのプレート（８）の上縁（１２）に、手首の湾曲に適合するような湾曲形状が与えられることを特徴とする請求項１３に記載の留め具。
【請求項１５】
歯（１６）が第１ストランドの上面よりも実質的に高いレベルに位置していることにより、バックル（６）に差し込まれる第２ストランド（２）が歯（１６）を通り越す湾曲した輪郭を有し、これにより、第２ストランド（２）が解放されて装着者の手首がゆるめられた際に第２ストランド（２）が開放方向に動き、結果として第２ストランド（２）が引っ張られ、歯（１６）が係合する溝（２０）または孔にさらにしっかりと係合されることを特徴とする請求項１から１４のいずれかに記載の留め具。
【請求項１６】
第１および第２ストランド（１、２）が、ミラニーズ編みまたは編み込みタイプのものである、もしくはゴム、皮、またはフレキシブル合成素材で製作されたものであることを特徴とする請求項１から１５のいずれかに記載の留め具。
【請求項１７】
駆動プレート（２８）が、解放レバー（２４）のクリアランスを制限するような対向する横材（１０）の縁部（３８）に隣接する横断部（３６）を有することを特徴とする請求項６、１１、および１３に記載の留め具。
【請求項１８】
駆動プレート（２８）が、その面の下側に、対向する横材（１０）を覆うように配置される凹部（４０）を有することを特徴とする請求項７、１１、および１３に記載の留め具。
【発明の詳細な説明】
【０００１】
【発明の属する技術分野】
本発明は、たとえば皮または合成材料で作られた２つのフレキシブル・ストランドを固定するための留め具に関する。このような留め具は、たとえば腕時計のストラップやリストバンド、またはベルトに用いることが可能である。
【０００２】
【従来の技術】
フレキシブル・ストランドを固定するための公知の留め具装置においては、上記ストランドは、組み立てられる際に止め針を受け入れる孔を含む。しかしこの従来の構造には、ストランドが疲労して、止め針を受け入れる孔の箇所が簡単に壊れるという欠点がある。
【０００３】
特に腕時計に用いられるリストバンドまたはブレスレットは、容易に手首にはめることができ、かつ締付けループを形成しようとする際に腕時計が抜け落ちる危険がないようなものでなければならない。そのため、リストバンドは手首まわりに確実にとどまるようにつながっている。
【０００４】
第１の公知の解決策は、リストバンドを引っ張ったときに伸びるようにする小さなばねを含む隣接した金属片から形成されるリストバンドである。しかしこの解決策が効果を表すのに必要な非常に小さなばねは、疲労する上に寿命が短い。
【０００５】
この欠点を克服するため、多関節ヒンジを備えた留め具が提案されている。この留め具は本来、それ自体延びることのない関節で接合した２つのセグメントを備えた金属ブレスレットに取り付けられる。このさらなる利点を有する解決策は、硬くて関節を有する折りたたみ式で、重ね合わせることができ、互いに捕捉し合うようなセグメントを備えた連続装置を用いて得られるものであった。そしてこれには、非常に多数のモデルが存在している。
【０００６】
一例として、３つの硬いセグメントを備えたモデルが挙げられる。この３つのセグメントは、１つ目が２つ目の下側に閉じ、カバーとして働く３つ目が２つ目に係合して１つ目に固定されるようになされている。
【０００７】
これらの、折りたたみ式ではないバックルを備えた従来の留め具には、リストバンドに引っ張り力が働いた場合に、リストバンドが知らない間に手から外れるということをある程度まで防げるという利点がある。しかしこのタイプの留め具はかなり複雑であるとともに多数の部品を要するものであり、非常に高価なものとなる。
【０００８】
考えられ得る改良は、スイス特許第５３０，１８９号に開示された装置によって行われている。この特許では、より魅力的な外観が提案される一方で留め具の容易性も改善されるような構造が提案されている。
【０００９】
この装置は、リストバンドの一方のストランドに固定された留め具を備え、かつリストバンドの他方のストランドを把持する手段を備えている。この第２ストランドは、留め具の基部と、その留め具の基部でピボット回転するレバーの偏心端との間に把持されている。上記留め具のベース板は、腕時計を装着している者の手首に接触することを意図したリストバンドの見えない面に作られた溝の１つと係合するようなリブを有する。ベース板はまた、リストバンドの見えない面に作られた溝の１つと係合するようなピンも有する。
【００１０】
この留め具の１つの利点は、先に記載された実施例においては、２つ目のストランドが１つ目のストランドの下側に係合しており、これによってリストバンドの外見が非常に魅力的なものとなっているということにある。
【００１１】
別の利点は、上記留め具の構造が非常に簡単になるということで、これにより上記留め具の製造コストを実質的に削減することができる。この留め具にはまた、たとえばミラニーズ編みまたは編み込みタイプ、もしくはプラスチック素材で作られたものなど、あらゆるタイプのフレキシブル・リストバンドに適合可能であるという利点もある。
【００１２】
しかしスイス特許第５３０，１８９号に開示された留め具には、いくつかの欠点がある。その最も重要な欠点の中から特記できるものとしては、偏心端を介して留め具の基部に対してリストバンドの第２ストランドを把持するピボットレバーは、リストバンドが装着者の手首にしっかりと固定されていることを保証するものではない、ということである。実際のところ、上記レバーは外部引っ張り力によっていとも簡単に開放位置にピボット回転され、リストバンドは装着者が望んでいないのに手から外れることになる。したがってこの方法は、このタイプの留め具が与える信頼性を下げるものである。
【００１３】
一方先に述べたように、上記留め具のベース板は、リストバンドの下面に作られた溝の１つと各々係合するリブとピンの両者を有している。上記リブおよびピンとの係合から上記溝を開放するためにリストバンドを起こすようなものは何も備えられていないため、装着者は、腕時計を外したい場合、第２ストランドを留め具から外すのにかなり苦労することになる。この操作は、リストバンドが一点ではなくリブおよびピンによって具体化された２つの別個の点において上記ベース板と係合しているということにより、ますます困難なものとなる。
【００１４】
最後に、留め具のベース板にリストバンドを把持させることにより、偏心レバーはリストバンドの表面に跡を残す結果となる。
【００１５】
スイス特許第４５４，５１３号は、リストバンドの一方のストランドに固定され、かつリストバンドの他方のストランドを把持する手段を備えた留め具を含む腕時計のリストバンドを開示している。上記把持手段は、リストバンドの長さと平行な方向に、両側に垂直縁を備えた底部を有するわずかに湾曲したプレートによって形成される。上記縁に固定されるバーは、留め具をリストバンドの一方のストランドに確実に連結させる。把持手段にはカバーがヒンジ付けされ、上記カバーは、留め具が一方のストランドに連結される際に媒体となるバーと同一のバーの周りにピボット回転する。上記カバーは、その両側に、リストバンドの長さに方向に縁部を有する。それらの縁部はカバーが閉じられた際に抵抗が克服されるように、プレートの縁部のようにわずかに内側に傾斜しており、これによって上記カバーが不注意に開けられることがないようになされている。上記プレートは、リストバンドの第２ストランドの目に見えない下面に配置される溝の１つに係合する上向きの突起部を有する。カバーが開けられると、第２ストランドの端部が留め具の開口に係合する。係合すると第２ストランドは所望の長さに調節されて、突起部が溝の１つと係合する。そして最後に上記カバーが閉じられる。
【００１６】
この実施例には主に、短期間ですり切れ、カバーのスナップが留め具プレートの縁部に適切に適合する保証がなくなという欠点がある。これは本質的に強いスナップ適合力によるものであり、したがって上記システムを素早く装着するということによるものである。留め具カバーが適切に閉められなければ、外部からの引っ張り力によってカバーは非常に容易にピボット回転させられ、その結果、ユーザーは腕時計を紛失することになりやすい。
【００１７】
一方、プレートの突起部が係合すべき溝が配置される下面の下側に、リストバンドの第２ストランドを起こすようなものは何も備えられていない。したがって、一方のストランドは対応する溝に係合した突起部によって後方に支持されがちなため、ユーザーは、２つのリストバンド・ストランドを互いに関してスライドさせる際にひどく苦労することになりやすい。
【００１８】
【発明が解決しようとする課題】
本発明の目的は、２つのフレキシブル・ストランドを固定するための、たとえば腕時計のリストバンドまたはベルトに用いることが可能な留め具であって、製作費用がかからず、かつ非常に簡単かつ安全に使用される留め具を提案することによって、上述した欠点を他の欠点に加えて克服することである。
【００１９】
【課題を解決するための手段】
したがって本発明は、第１および第２フレキシブル・ストランドのうち第１に取り付けられ、第２ストランドによって貫通されるようなバックルを含む、２つのストランドを固定するための留め具であって、バックルが、第２ストランドにひっかかるような固定された捕捉手段を含み、およびバックルが手動で始動可能な解放装置であって、第２ストランドを押し上げて捕捉手段から解放し、第２ストランドがバックルからすべって外れるようにする解放装置を含むことを特徴とする留め具に関する。
【００２０】
上記特徴の結果として本発明は、使用が簡単な留め具を提供する。実際のところ、リストバンドまたはベルトのフレキシブル・ストランドを固定し、かつ留め具を閉じるためには、留め具内の第２ストランドの端部を係合させるだけで良く、その結果この端部は捕捉手段の上側に配置される。リストバンド・ストランドは、その後所望の長さに調節され、捕捉手段がストランドにひっかかる。このようにしてリストバンドは適所にしっかりと支持され、不注意には開放されにくくなる。リストバンドを開放するためには、ロック装置を手動で始動させるだけで良い。そうすれば解放装置がリストバンドの第２ストランドを押し上げ、捕捉手段から解放させる。その結果、装着者はこのストランドを引っ張って第１ストランドに対して滑らせて、かつバックルから解放させるだけで良い。
【００２１】
本発明による留め具はまた、動作上の安全性が高くなされている。実際これまでに述べたように、捕捉手段が第２ストランドにひっかかった場合、この第２ストランドを後ろ向きに引っ張ることはできない。本発明による上記留め具は、これを固定するためにリストバンドの第２ストランドを把持またはクランプ締めするいかなる部品も必要としないということから、留め具に対する信頼はますます大きなものとなっている。したがってユーザーは、いつでも不注意に開放され得るような把持またはクランプ・部品を備えた先行技術による留め具の場合のように、腕時計を失いやすいということはなくなる。
【００２２】
本発明の補足的特徴によると、捕捉手段には歯が含まれており、解放装置には第２ストランドを押し上げることが可能であるような、バックルに動くことができるように取り付けられるレバーが含まれる。
【００２３】
このように本発明による留め具は、２つの部品、すなわち第２ストランドにひっかかり、かつ必要であればバックルと一体に単一片となるように作成可能な、またはバックルに固定される独立した部分を構成するような歯を有するバックルと、ユーザーがストランドを歯から解放するためにストランドを押し上げることができる解放装置としか含まない。本発明による留め具は使用が非常に簡単であることに加え、少数の部品しか使用せず、したがって製造費用が安いという利点もまた有する。
【００２４】
本発明のその他の特徴および利点は、本発明による留め具の第１および第２実施例に関する以下の詳細な説明を読めばより明らかになるであろう。上記例は、添付の図面に関連して、単に限定されることのない実例として与えられているものである。
【００２５】
【発明の実施の形態】
本発明は、使用が簡単で動作が確実な、かつ製造費用も安いリストバンドまたはベルトの２つのストランドを固定する留め具を提供する一般的な発明の着想を発展させたものである。したがって本発明による留め具は、一方で、留め具に取り付けられるストランドと組み合わせられるリストバンドまたはベルトの自由ストランドにひっかかるような捕捉手段を含み、これにより２つのストランドは、ストランドの一方が他方に対して動くかもしれないという危険を一切有することなく、適所にしっかりと保持される。他方で本発明による留め具は、自由ストランドを捕捉手段から解放するためにこれを押し上げることが可能であるという利点を有するような解放装置を含む。したがってリストバンドまたはベルトを装着する者は、たとえば腕時計を外したいと思えばバックルから第２ストランドを容易にすべらせて外すことが可能である。最後に本留め具は、２つの部品のみから形成され、したがって製造費用が安いということに留意されたい。また、組み立てられるストランドを保持するためにいかなるクランプ部材またはロック部材も有していない。このことは、この種のロック部材は外部からの引っ張り力の影響を受けることによりユーザーが望まなくても開放されがちであるという限りにおいて、先行技術の留め具に関して一定の利点を有する。
【００２６】
本発明の第１の実施形態は、図１から４に示されており、第２の実施形態は図４から８に示される。いずれの場合にも、上記図は部分的に示されるリストバンドを説明するものであって、上記リストバンドが腕時計用であることを意図したものである場合には腕時計のほぼ反対側の位置を示している。両者とも、リストバンドは、主に手首のまわりに巻かれるように意図されているとともに、第１端（図示されない）が上記腕時計に取り付けられるような第１および第２フレキシブル・ストランドを含んでいる。
【００２７】
このように本発明は、腕時計に関して述べられる。ただし本発明が、ベルトや宝石付きのブレスレット、もしくは本発明による留め具を接合することが可能であるようなその他あらゆるタイプのリストバンドまたはブレスレットにも同様に適用されるということは言うまでもない。
【００２８】
図１から４に示されるように、全体として参照番号４で表される本発明による留め具は、本質的に、第１フレキシブル・ストランド１に取り付けられたバックル６として形成され、第２フレキシブル・ストランド２はバックル６を貫通して第１ストランド１に固定される。
【００２９】
特に図１の斜視図から分かるように、バックル６は、互いに平行であって、かつ第１および第２ストランド１および２の両側にストランド１および２の長さの長手方向に延びる２つのプレート８を含む。バックル６を堅強なものとし、これに適切な機械的抵抗力を与えるため、上記２つのプレート８はその端部において、フレキシブル・ストランド１および２を横断する２つの横材１０で接続されている。
【００３０】
また図１からわかるように、２つのプレート８の２つの上縁１２は、装着者の手首の湾曲に適合するような湾曲した形状が与えられている。
【００３１】
本発明によると、バックル６は第２フレキシブル・ストランド２を捕捉する固定された捕捉手段１４を備えている。捕捉手段１４は、リストバンドをそれが巻きつけられる手首にしっかりと固定するため、第２ストランド２がバックル６と係合する際に外れることがないようにしている。
【００３２】
図１から４に示される実施形態においては、上記捕捉手段１４はリブ１８によって支持される歯１６の形をとっている。上記リブ１８は、バックル６に対して垂直にバックル６の２つのプレート８の間に延びている。特に利点を有する実施形態によると、歯１６、これを支持するリブ１８、およびバックル６の２つのプレート８は、たとえばプラスチック材料または金属材料を成形または射出成形することによって単一片として製作することが可能である。別の変形例によると、歯１６およびそのリブ１８は別々に製造され、たとえばボンディングや超音波溶接、またはネジ留めなどの何らかの適切な方法でバックル６のプレート８間に固定される。
【００３３】
上記発明は、歯の使用に限定されるものではないことに留意されたい。上記捕捉手段は、たとえば小さなフックまたはチップ（図示されない）から成ることも可能である。
【００３４】
第２ストランド２の端部１９は、その装着者からは見えない下面に、リストバンドの全幅の一部にわたって延びる横断溝２０を形成するように加工された部分を少なくとも有する。この溝２０は、たとえば図２および３に示された形状、すなわち実質的に三角形の断面形状を有する。
【００３５】
装着者が望まない限り、外部からの引っ張り力で手から対象物が外れることがないように、バックル６によって支持される歯１６の先端が溝２０に入り込み、第２ストランド２をしっかりとロックする。
【００３６】
本発明による留め具４の安全性は、歯１６が第１ストランド１の上面よりも高い位置に置かれることにより、さらに増大されるということに留意されたい。このようにバックル６に差し込まれる第２ストランド２は、これが歯１６を通過できるようにする湾曲した輪郭を有しており、第２ストランド２が離され装着者の手首がゆるめられると、これによって第２ストランド２が開放される方向へ戻り、この結果、第２ストランド２が引かれ、歯１６は溝２０または歯１６が係合する孔にさらにしっかりと係合される。
【００３７】
現在までのところ、バックル６の歯１６を収容するには単一溝２０しか存在しておらず、したがってこの単一溝２０は、第２ストランド２がバックル６と係合する際にリストバンドの単一長としている。しかし異なる輪郭の手首に適合させるためには、いくつかの長さがある方が望ましいと思われる。この目的のため図２および３においては、第２フレキシブル・ストランド２内に形成され、かつ第２ストランド２の全長の一部にわたる列に沿って配置される複数の溝２０（本書では４つ）が示される。このように歯１６は、リストバンドが装着される手首の輪郭にリストバンドの長さを適合させるように、適宜、いずれかの溝２０に差し込まれる。
【００３８】
変形例によると、溝２０は第２ストランド２の端部１９に貫通された多数の孔（図示されない）に置き換えることが可能である。その孔には、第２ストランド２を固定位置にロックする歯１６を入れることが可能である。しかしストランド２の下面に形成される溝２０はリストバンドの装着者には見えなので、ストランド２には孔ではなく溝を形成する方が好ましい。
【００３９】
本発明によると、バックル６は手動で作動させることが可能な解放装置２２も含む。この解放装置２２は、第２ストランド２を捕捉手段１４から解放させ、これがバックル６からすべって外れるように第２ストランド２を押し上げることができる。したがってリストバンドの装着者は、解放装置２２を始動させた後、第２ストランド２を引くだけで第２ストランド２は第１ストランド１に対して滑ってバックル６から解放される。この解放操作がないと、第２ストランド２に形成された溝２０や孔に歯１６がひっかかったままとなり、外れない。
【００４０】
解放装置２２は、バックル６に動くことができるように取り付けられ、第２ストランド２を押し上げることができるレバー２４の形をとる。このレバー２４は、ストレッチャーに似た形状を有し、２つの長手方向のアーム３０によって駆動プレート２８に連結された第２ストランド２を押し上げるバー２６を備えている。図２および３から分かるように、第２ストランド２の端部１９は上立バー２６の上を通り、これによってユーザーは、駆動プレート２８を軽く押すだけでストランド２を押し上げることができるようになっている。このようにレバー２４は、バックル６の２つのプレート８に形成されたヒンジ３４に差し込まれる小さなバー３２を用いてピボット回転するように揺動する。
【００４１】
第１ストランド１が、解放レバー２４がバックル６に対してピボット回転するようにヒンジ付けされるバーと同じ小さなバー３２のまわりに、一定の長さ巻きつけられるということは利点である。
【００４２】
図２においては、本発明による留め具４は閉じられた状態で示されている。第２ストランド２はその端部１９を介してバックル６に係合されており、端部１９が解放レバー２４の起立バー２６の上を通っている。歯１６は第２ストランド２の見えない下面に形成される溝２０の１つと係合する。駆動プレート２８は、対向する横材１０の端部３８に隣接する横断部３６を有し、端部３８によって解放レバー２４のクリアランスが制限される。
【００４３】
図３においては、ユーザーは解放レバー２４に押力を働かせ、レバーをその軸３２のまわりにピボット回転させるとともに第２ストランド２を押し上げるように起立バー２６を上に移動させる。このようにして、第２ストランド２に形成される溝２０または孔はバックル６の歯１６をすべり抜け、ユーザーは第２ストランド２を第１ストランド１から引き出し、バックル６から取り外すことが可能となる。
【００４４】
図５から８は、本発明による留め具４の第２実施形態を説明している。以下の記述においては、先に述べた要素とまったく同一の要素は同一の参照番号によって示されるものとする。
【００４５】
非常に明瞭に分かるように、特に図６および７においては、本発明による留め具４の第２実施形態は、解放レバー２４が小さなバー３２に対して反対方向に取り付けられているという点において、第１実施形態とは本質的に異なっている。
したがって図７から明らかなように、ユーザーは、解放レバー２４を小さなバー３２のまわりにピボット回転させて起立バー２６上にある第２フレキシブル・ストランド２を押し上げるために、解放レバー４２を押す必要はないが、逆にこれを引き上げなければならない。この第２実施形態は、駆動プレート２８が、バックル６の横材１０の上を覆うように配置されている下面に凹部４０を備えているという点においても、第１実施形態とは異なっている。凹部４０およびこれに対応する横材１０によって形成されるアッセンブリは、限られた遊びをもって形成され、これにより駆動プレート２８が横材１０の上に折り重ねられた際に一定の抵抗が与えられ、解放レバー２４が不注意に開放されることがなくなる。
【００４６】
本発明は、たとえばミラニーズ編みまたは編み込みタイプのストランド、もしくは皮やゴム、または合成素材などで作られたストランドから形成される、あらゆるタイプのフレキシブル・リストバンドに適合可能である。
【００４７】
本発明は、これまでに述べられてきた実施形態に限定されるものではなく、当該分野における技術者であれば、本発明の精神から離れることなく、上記実施形態の修正や変形について考察することが可能であるということは、言うまでもない。
【図面の簡単な説明】
【図１】本発明による留め具の第１実施形態の斜視図である。
【図２】図１に示される留め具の、解放装置が停止位置にある場合の断面図である。
【図３】図１に示される留め具の、解放装置がリストバンドの第２ストランドを押すように折りたたまれた位置にある場合の断面図である。
【図４】図１の留め具の平面図である。
【図５】本発明による留め具の第２実施形態の斜視図である。
【図６】図５に示される留め具の、解放装置が停止位置にある場合の断面図である。
【図７】図５に示される留め具の、解放装置がリストバンドの第２ストランドを起こすような起立位置にある場合の断面図である。
【図８】図２の留め具の平面図である。
【符号の説明】
１  第１フレキシブル・ストランド
２  第２フレキシブル・ストランド
４  留め具
６  バックル
８  平行プレート
１０  横材
１２  上縁
１４  捕捉手段
１６  歯
１８  リブ
１９  自由端
２０  溝
２２  解放装置
２４  解放レバー
２６  起立バー
２８  駆動プレート
３０  長手方向アーム
３２  バー
３６  横断部
３８  縁部
４０  凹部
【図１】
0004777559.tif 000002
【図２】
0004777559.tif 000003
【図３】
0004777559.tif 000004
【図４】
0004777559.tif 000005
【図５】
0004777559.tif 000006
【図６】
0004777559.tif 000007
【図７】
0004777559.tif 000008
【図８】
0004777559.tif 000009